(57)【要約】【課題】駆動モータの振動がキャリッジに伝わりにくくなるようにすることで、画像の読取精度の低下を防ぐことができる画像読取装置を提供する。【解決手段】ガイドレール１１，１１と、ガイドレール１１，１１に沿って移動可能に担持されるキャリッジと、該キャリッジを駆動する駆動モータとを備えた画像読取装置において、画像読取装置のシャーシ部及び側壁部を構成するカバーシャーシ３０と、ガイドレール１１，１１を一体に設けてなるフレーム部材７０とを各々別部品として備えると共に、駆動モータを取り付けるモータ取付部３４をカバーシャーシ３０側に設け、フレーム部材７０をカバーシャーシ３０に取り付け固定する取付固定部８０をモータ取付部３４から離れた位置に配置することで、駆動モータの振動がキャリッジに伝わりにくくなるように構成した。【選択図】図４
2007306054.tif 000002
【特許請求の範囲】
【請求項１】
プラテンガラスの下方に設置されるガイドレールと、前記ガイドレールに沿って移動可能に担持され前記プラテンガラス上の原稿の画像を読取走査するキャリッジと、前記キャリッジを駆動する駆動モータとを備えた画像読取装置において、
前記画像読取装置のシャーシ部及び側壁部を構成するカバーシャーシと、前記ガイドレールを一体に設けてなるフレーム部材とを各々別部品として備えると共に、
前記駆動モータを取り付けるモータ取付部を、前記カバーシャーシ側に設けていることを特徴とする画像読取装置。
【請求項２】
請求項１に記載の画像読取装置において、
前記フレーム部材を前記カバーシャーシに取り付けて固定する取付固定部を、前記ガイドレールの中間部付近の近傍あるいは一端部の近傍に設けると共に、前記モータ取付部を、前記カバーシャーシ上の前記ガイドレールの他端部の近傍に配置される位置に設けていることを特徴とする画像読取装置。
【請求項３】
請求項１に記載の画像読取装置において、
前記ガイドレールは、所定間隔で平行に設置された一対のガイドレールからなり、
前記フレーム部材を前記カバーシャーシに取り付けて固定する取付固定部を、一方のガイドレールの近傍に設けると共に、前記モータ取付部を、前記カバーシャーシ上の他方のガイドレールの近傍に配置される位置に設けていることを特徴とする画像読取装置。
【請求項４】
請求項１乃至３のいずれか１項に記載の画像読取装置において、
前記モータ取付部を、前記プラテンガラス上の原稿セット基準位置を設けた一の隅部以外の他の隅部の近傍に配置していることを特徴とする画像読取装置。
【発明の詳細な説明】
【技術分野】
【０００１】
本発明は、ガイドレールに沿って移動可能に担持されたキャリッジでプラテンガラス上の原稿の画像を走査して読み取る画像読取装置に関するものである。
【背景技術】
【０００２】
スキャナやファクシミリや複写機等が備える画像読取装置は、特許文献１に示すように、光源及び反射ミラー等が搭載されたキャリッジを備え、該キャリッジでプラテンガラス上に載置された原稿の画像を走査し、走査した画像をＣＣＤ等の結像ユニットに導くことで原稿画像の読み取りを行う。この画像読取装置には、キャリッジをプラテンガラスの下方で移動可能に担持するガイドレールと、該キャリッジを駆動する駆動モータとが設置されている。
【特許文献１】特開２００１−４２４５３号公報
【発明の開示】
【発明が解決しようとする課題】
【０００３】
従来の画像読取装置では、上記のガイドレールを、画像読取装置のシャーシ部分を構成するフレーム部材と一体に形成していた。そして、キャリッジを駆動する駆動モータをこのフレーム部材に固定して取り付けていた。ところが、ガイドレールが一体に形成されたフレーム部材に駆動モータが固定されていると、キャリッジを移動させる際に、駆動モータの振動がガイドレールを介してキャリッジに伝わってしまい、キャリッジが振動して画像の読取精度が低下してしまうという問題があった。
【０００４】
本発明は上述の点に鑑みてなされたものでありその目的は、駆動モータの振動がキャリッジに伝わりにくくなるようにすることで、画像の読取精度の低下を防ぐことができる画像読取装置を提供することにある。
【課題を解決するための手段】
【０００５】
上記課題を解決するため本願の請求項１に記載の発明は、プラテンガラスの下方に設置されるガイドレールと、前記ガイドレールに沿って移動可能に担持され前記プラテンガラス上の原稿の画像を読取走査するキャリッジと、前記キャリッジを駆動する駆動モータとを備えた画像読取装置において、前記画像読取装置のシャーシ部及び側壁部を構成するカバーシャーシと、前記ガイドレールを一体に設けてなるフレーム部材とを各々別部品として備えると共に、前記駆動モータを取り付けるモータ取付部を、前記カバーシャーシ側に設けたことを特徴とする。
【０００６】
本願の請求項２に記載の発明は、請求項１に記載の画像読取装置において、前記フレーム部材を前記カバーシャーシに取り付けて固定する取付固定部を、前記ガイドレールの中間部付近の近傍あるいは一端部の近傍に設けると共に、前記モータ取付部を、前記カバーシャーシ上の前記ガイドレールの他端部の近傍に配置される位置に設けていることを特徴とする。
【０００７】
本願の請求項３に記載の発明は、請求項１に記載の画像読取装置において、前記ガイドレールは、所定間隔で平行に設置された一対のガイドレールからなり、前記フレーム部材を前記カバーシャーシに取り付けて固定する取付固定部を、一方のガイドレールの近傍に設けると共に、前記モータ取付部を、前記カバーシャーシ上の他方のガイドレールの近傍に配置される位置に設けていることを特徴とする。
【０００８】
本願の請求項４に記載の発明は、請求項１乃至３のいずれか１項に記載の画像読取装置において、前記モータ取付部を、前記プラテンガラス上の原稿セット基準位置を設けた一の隅部以外の他の隅部の近傍に配置していることを特徴とする。
【発明の効果】
【０００９】
本願の請求項１に記載の発明によれば、画像読取装置のシャーシ部及び側壁部を構成するカバーシャーシと、ガイドレールを一体に設けてなるフレーム部材とを別部品として備えると共に、駆動モータを取り付けるモータ取付部をカバーシャーシ側に設けたことで、キャリッジを移動させる際に、カバーシャーシに取り付けられた駆動モータの振動がガイドレールに担持されているキャリッジに伝わりにくくなるので、画像の読取精度の低下を防止することができる。
【００１０】
本願の請求項２に記載の発明によれば、取付固定部をガイドレールの中間部付近の近傍あるいは一端部の近傍に設けると共に、モータ取付部をカバーシャーシ上のガイドレールの他端部の近傍に配置される位置に設けているので、取付固定部がモータ取付部から離れた位置になり、該取付固定部を介してカバーシャーシ側からフレーム部材側に伝わる駆動モータの振動を少なくできるので、画像の読取精度の低下を防止することができる。
【００１１】
本願の請求項３に記載の発明によれば、取付固定部を一方のガイドレールの近傍に設けると共に、モータ取付部をカバーシャーシ上の他方のガイドレールの近傍に配置される位置に設けているので、取付固定部がモータ取付部から離れた位置になり、該取付固定部を介してカバーシャーシ側からフレーム部材側に伝わる駆動モータの振動を少なくできるので、画像の読取精度の低下を防止することができる。
【００１２】
本願の請求項４に記載の発明によれば、モータ取付部を、プラテンガラス上の原稿セット基準位置を設けた一の隅部以外の他の隅部の近傍に配置するので、原稿セット基準位置がモータ取付部から離れた位置になり、この原稿セット基準位置に合わせて載置された原稿に伝わる駆動モータの振動を少なくできるので、画像の読取精度の低下を防止できる。特に、サイズの小さな原稿を読み取る際には、原稿が駆動モータから十分に離れた位置に載置されるので、原稿に伝わる駆動モータの振動がより少なくなる。
【発明を実施するための最良の形態】
【００１３】
以下、本発明の実施形態を図面に基づいて詳細に説明する。図１は、本発明の一実施形態に係る画像読取装置を備えた画像形成装置を示す斜視図である。まず図１を用いて画像形成装置の概略全体構成について説明する。本発明に係る画像形成装置としては、画像読取装置を備えた画像形成装置であれば、コピー機やファクシミリ装置やプリンタあるいはこれらの機能を兼ね備えたいわゆる複合機のうちのいずれであっても良い。同図に示す画像形成装置１は、下段側に設置された記録部２と、上段側に設置された読取部３とを備えている。記録部２には、記録装置４と給紙カセット５及び記録紙排出トレイ６が内装され、給紙カセット５内に収容されている用紙を記録装置４へ給紙し、該記録装置４で用紙への記録を行った後、用紙を記録紙排出トレイ６へ排出するように構成されている。
【００１４】
読取部３は、原稿の画像を走査して読み取る画像読取装置１０と、該画像読取装置１０の前面側の側壁部に取り付けられた操作パネル７と、画像読取装置１０の上部にその一辺が図示しないヒンジ機構で開閉可能に取り付けられた原稿押えカバー８とを備えている。原稿押えカバー８の一端部には原稿を自動的に給紙する自動給紙装置（ＡＤＦ装置）２０が付設されている。
【００１５】
図２は、画像読取装置１０と自動給紙装置２０の詳細構成を示す側断面図である。自動給紙装置２０は、複数枚の原稿を積載保持する原稿トレイ２１と、横向きＵ字状の搬送路２２と、搬送後の原稿を積載保持する排紙トレイ２３と、原稿トレイ２１上の原稿を搬送路２２へ送り込むピックアップローラ２４及び給紙ローラ２５と、搬送路２２において原稿をニップして搬送する搬送ローラ２６と、搬送路２２の出口付近に設けられた排紙ローラ２７と、読取位置Ｐ２で原稿の画像読取りを行う密着形イメージセンサ（Contact  Image  Sensor、以下「ＣＩＳ」と記す）を具備するＣＩＳ読取ユニット２８とを備えて構成されている。
【００１６】
図３は画像読取装置１０の構成を示す概略平面図である。図２及び図３に示すように、画像読取装置１０は、該画像読取装置１０のシャーシ部及び側壁部を構成するカバーシャーシ３０上に各構成部品が配置されている。カバーシャーシ３０は合成樹脂により形成されており、略長方形の平板状のシャーシ部（底面部）３１と、該シャーシ部３１の外周を囲んで立設された側壁部３２とを備え、側壁部３２の内側がキャリッジ収納部３３になっている。図２に示すように、キャリッジ収納部３３にはその上部を覆う上部カバー４０が取り付けられており、上部カバー４０の上面部４０ａにプラテンガラス４１が設置されている。なお図３では、上部カバー４０の図示は省略している。一方、キャリッジ収納部３３の内部の手前側と奥側には、長手方向が左右方向に向かう一対のガイドレール１１，１１が平行に敷設されている。そして、これらガイドレール１１，１１に両端が担持されたフルレートキャリッジ１２とハーフレートキャリッジ１５が設置されている。これらはガイドレール１１，１１に沿ってキャリッジ収納部３３内を左右方向に移動可能になっている。
【００１７】
ガイドレール１１，１１は、キャリッジ収納部３３のシャーシ部３１から上方に突出する略矩形の断面形状を有し、その上面が平面状の摺動面１１ａ，１１ａになっている。フルレートキャリッジ１２は、ガイドレール１１，１１の摺動面１１ａ，１１ａ上にその両端部が載置された本体部１２ａと、本体部１２ａに搭載された光源ランプ１３と反射ミラー１４とを備えている。またハーフレートキャリッジ１５は、本体部１５ａと、該本体部１５ａに取り付けられその両端部がガイドレール１１，１１の摺動面１１ａ，１１ａ上に載置された平板状の支持部材１６と、該支持部材１６の上側及び下側に設置された一対の反射ミラー１７，１７とを備えている。またキャリッジ収納部３３内には、結像ユニット１８及びインバータ装置１９が設置されている。結像ユニット１８は、入射した反射光を収束する結像レンズ１８ａと、その収束光による光学画像を画像データに変換するＣＣＤイメージセンサ（光電素子）１８ｂとを備えたＣＣＤ結像ユニットである。インバータ装置１９は、光源ランプ１３の照射光を安定させるための装置である。一方、図３に示す符号８０は、ガイドレール１１，１１が一体に設けられた下記するフレーム部材７０をカバーシャーシ３０に取り付けて固定している取付固定部である。この取付固定部８０は、同図に示すように、キャリッジ収納部３３内の奥側に配置される一方のガイドレール１１（右端部１１ｂがモータ取付部３４に隣接して配置されているガイドレール１１）の中間部付近の近傍（両側部）及び左端部１１ｃの近傍（両側部）と、キャリッジ収納部３３内の手前側に配置される他方のガイドレール１１の中間部付近と右端部１１ｂと左端部１１ｃの近傍（両側部）にそれぞれ設けられている。
【００１８】
ガイドレール１１，１１の内側には、ベルト駆動機構５０が設置されている。図３に示すように、ベルト駆動機構５０は、ガイドレール１１，１１の右端部１１ｂ，１１ｂの内側位置に設置された駆動プーリ５１，５１と、左端部１１ｃ，１１ｃの内側位置に設置された従動プーリ５３，５３とを備え、これら駆動プーリ５１，５１と従動プーリ５３，５３の間に無端状のベルト５６，５６が巻架されている。またガイドレール１１，１１の右端部１１ｂ，１１ｂの内側位置に設置された駆動プーリ５２，５２と、左端部１１ｃ，１１ｃの内側位置に設置された従動プーリ５４，５４とを備え、これら駆動プーリ５２，５２と従動プーリ５４，５４の間に無端状のベルト５７，５７が巻架されている。そして一方のベルト５６，５６がフルレートキャリッジ１２に固定され、他方のベルト５７，５７がハーフレートキャリッジ１５に固定されている。駆動プーリ５１，５１と駆動プーリ５２，５２はいずれも駆動軸５８に取り付けられ、従動プーリ５３，５３は回転軸６４に取り付けられ、従動プーリ５４，５４は回転軸６５に取り付けられている。
【００１９】
一方、カバーシャーシ３０上のキャリッジ収納部３３の外部であって画像読取装置１０の奥側の右端部には、側壁部３２でキャリッジ収納部３３と仕切られたモータ取付部３４が設けられている。モータ取付部３４には、駆動モータ６０が板状の支持部材６１を介してネジによる固定で取り付けられている。一方、駆動軸５８の一端がモータ取付部３４内に突出し、このモータ取付部３４内に突出した駆動軸５８に取り付けられたプーリ５９と、駆動モータ６０の回転軸６０ａに取り付けられたプーリ６２との間に、伝達ベルト６３が掛け渡されていて、駆動モータ６０の回転が駆動プーリ５１，５１及び駆動プーリ５２，５２に伝達されるようになっている。そして、駆動プーリ５１と駆動プーリ５２の直径の比が、略１／２になっている。これによりフルレートキャリッジ１２の走査速度及び走査距離に対するハーフレートキャリッジ１５の走査速度及び走査距離が、いずれも略１／２になるように設定されている。
【００２０】
駆動モータ６０の駆動によるベルト５６，５７の周運動で、フルレートキャリッジ１２及びハーフレートキャリッジ１５が、ガイドレール１１，１１に沿ってキャリッジ収納部３３内を左端から右方向に移動する。その際に、図２に示すようにフルレートキャリッジ１２の光源ランプ１３からプラテンガラス４１上の原稿に光が照射され、該原稿からの反射光が反射ミラー１４，１７，１７で順次反射されて結像ユニット１８へ導かれることで、原稿の画像が読み取られる。
【００２１】
上記構成の画像読取装置１０で、フラットベッドスキャナとして原稿画像の読み取りを行う場合は、原稿押えカバー８を閉じてプラテンガラス４１上に載置した原稿を押圧して固定する。その状態で画像読取装置１０による原稿画像の読み取りを行なう。一方、自動給紙装置２０を用いて原稿画像の読み取りを行う場合は、原稿トレイ２１から搬送路２２へ繰り込まれた原稿が、搬送路２２に沿って上方から下方へＵターンするように反転して読取位置Ｐ１に至り、読取位置Ｐ１を通過する際に、この読取位置Ｐ１にフルレートキャリッジ１２及びハーフレートキャリッジ１５が位置合わせされている画像読取装置１０で原稿の表面側の画像が読み取られる。さらに原稿が搬送路２２を搬送されて読取位置Ｐ２を通過する際に、ＣＩＳ読取ユニット２８で原稿の裏面側の画像が読み取られる。その後、用紙が排紙トレイ２３へ排出される。
【００２２】
ここで、画像読取装置１０の外装部品の構成及び駆動モータ６０の取付構造について説明する。図４は、画像読取装置１０の外装部品の分解斜視図である。同図に示すように画像読取装置１０の外装部品は、カバーシャーシ３０と、上部カバー４０と、カバーシャーシ３０の下面側に取り付けられるフレーム部材７０とで構成されている。カバーシャーシ３０は、合成樹脂製の成型品で、従来別部品であった画像読取装置の底部に設置されるシャーシ部品と、画像読取装置の側部を囲む外装カバー部品とを一体に形成したものである。キャリッジ収納部３３内のシャーシ部３１には、ガイドレール１１，１１を挿入配置するための開口部３１ａ，３１ａや、結像ユニット１８を設置するための開口部３１ｂや、インバータ装置１９を設置するための開口部３１ｃが形成されている。また、開口部３１ａ，３１ａの側部の取付固定部８０に対応する位置には、シャーシ部３１の下面側に開口するネジ穴８０ａが設けられている。そしてカバーシャーシ３０の奥側の右端部にモータ取付部３４が形成され、手前側に操作パネル設置部３５が形成されている。
【００２３】
上部カバー４０は、合成樹脂の成型品で、平板状の上面部４０ａと該上面部４０ａの下面側外周に形成された側壁部４０ｂとを備えると共に、中央部に開口部４０ｃが形成され、該開口部４０ｃにプラテンガラス４１が設置されている。プラテンガラス４１は長方形状で、その一の隅部に、載置する原稿の角部を位置合わせする原稿セット基準位置Ａが設けられている。この原稿セット基準位置Ａは、画像読取装置１０に上部カバー４０を取り付けた際に、画像読取装置１０の奥側の左端部に位置する。
【００２４】
フレーム部材７０は金属製の板金部材で、所定間隔で平行に配置したガイドレール１１，１１の対向する両内側面を板状の支持部７１で連結して一体に形成されている。また各ガイドレール１１，１１の下端部には、フランジ部７２が形成されていて、このフランジ部７２の取付固定部８０に対応する位置にネジ挿通穴８０ｂが形成されている。上記のカバーシャーシ３０のネジ穴８０ａとこのフレーム部材７０のネジ挿通穴８０ｂとで、取付固定部８０が構成される。フレーム部材７０は、カバーシャーシ３０の下面側に設置されて、ネジ挿通穴８０ｂに挿通させた図示しないネジをカバーシャーシ３０のネジ穴８０ａに固定することで、カバーシャーシ３０に一体に固定される。その状態でガイドレール１１，１１が開口部３１ａ，３１ａに下側から挿通されてキャリッジ収納部３３内に突出する。また支持部７１の上面が開口部３１ｂと開口部３１ｃとに露出し、この露出する支持部７１上に結像ユニット１８とインバータ装置１９が設置される。
【００２５】
この画像読取装置１０では、該画像読取装置１０のシャーシ部及び側壁部を構成するカバーシャーシ３０と、ガイドレール１１，１１を一体に取り付けてなるフレーム部材７０とを各々別部品として備えると共に、駆動モータ６０を取り付けるモータ取付部３４をカバーシャーシ３０側に設けている。これにより画像を走査する際に、駆動モータ６０の振動がガイドレール１１，１１に担持されたフルレートキャリッジ１２及びハーフレートキャリッジ１５に伝わりにくくなるので、画像の読取精度が低下することを防止できる。
【００２６】
また、モータ取付部３４を、カバーシャーシ３０上の一方のガイドレール１１の右端部１１ｂの近傍に配置される位置に設けると共に、フレーム部材７０をカバーシャーシ３０に取り付けている取付固定部８０を、このガイドレール１１の中間部付近の近傍あるいは左端部１１ｃの近傍に設けることで、取付固定部８０がモータ取付部３４から離れた位置に配置されるように構成している。これにより、取付固定部８０を介してカバーシャーシ３０側からフレーム部材７０側に伝わる駆動モータ６０の振動が少なくなるようにしている。また、取付固定部８０は、キャリッジ収納部３３の手前側のガイドレール１１の近傍にも設けられているが、この取付固定部８０もモータ取付部３４から離れた位置に配置されているので、この取付固定部８０を介してカバーシャーシ３０側からフレーム部材７０側に伝わる駆動モータ６０の振動も少なくなる。これらによって、駆動モータ６０の振動がフルレートキャリッジ１２及びハーフレートキャリッジ１５に伝わりにくくなるので、画像の読取精度が低下することを防止できる。
【００２７】
またモータ取付部３４を、プラテンガラス４１の原稿セット基準位置Ａを設けた隅部に対する反対側の一方の隅部である画像読取装置１０の奥側の右隅部の近傍（下側）に配置していることで、原稿セット基準位置Ａに合わせて載置された原稿が、駆動モータ６０から離れた位置に配置されるので、原稿に伝わる駆動モータ６０の振動を少なくでき、画像の読取精度の低下を防止できる。特に、サイズの小さな原稿を読み取る際には、原稿セット基準位置Ａに合わせた原稿が駆動モータ６０から十分に離れた位置に載置されるので、原稿に伝わる駆動モータ６０の振動がより少なくなる。
【００２８】
また、上記実施形態の画像読取装置１０では、結像ユニット１８をフレーム部材７０の支持部７１に取り付けていることで、駆動モータ６０の振動が結像ユニット１８にも伝わりにくくなっているので、それによっても画像の読取精度の低下が防止される。また、振動による影響を受けやすい精密部品であるフルレートキャリッジ１２やハーフレートキャリッジ１５及び結像ユニット１８やインバータ装置１９などをフレーム部材７０側に搭載していることで、駆動モータ６０の振動に起因する画像読取装置１０の構成部品の故障を減らすことができる。
【００２９】
以上本発明の実施形態を説明したが、本発明は上記実施形態に限定されるものではなく、特許請求の範囲、及び明細書、図面に記載された技術的思想の範囲内において種々の変形が可能である。なお、直接明細書及び図面に記載のない何れの形状・構造・材質であっても、本願発明の作用・効果を奏する以上、本願発明の技術的思想の範囲内である。例えば、カバーシャーシ３０やフレーム部材７０の具体的な形状は上記実施形態に示すものには限定されない。特に、カバーシャーシ３０のモータ取付部３４の位置は上記実施形態に示す位置には限定されず、プラテンガラス４１の原稿セット基準位置Ａを設けた隅部以外の他の隅部の近傍であれば、画像読取装置１０の手前側の左隅部の近傍や、画像読取装置１０の手前側の右隅部の近傍に配置することも可能である。
【００３０】
また、カバーシャーシ３０にフレーム部材７０を取り付けて固定する取付固定部８０の位置は上記実施形態に示す位置には限定されず、駆動モータ６０の振動がガイドレール１１，１１に担持されたフルレートキャリッジ１２及びハーフレートキャリッジ１５に伝わりにくくなるようにモータ取付部３４から離れた位置に設けていれば、他の位置に設けていてもよい。上記実施形態では、右端部１１ｂがモータ取付部３４に隣接して配置されている一方のガイドレール１１と、他方のガイドレール１１の両方のガイドレール１１の近傍にそれぞれ取付固定部８０を設けている場合を説明したが、これ以外にも、いずれか一方のガイドレール１１の近傍だけに取付固定部８０を設けてもよい。またフルレートキャリッジ１２及びハーフレートキャリッジ１５は、上記実施形態のように光源ランプ１３及び反射ミラー１４，１７，１７を搭載したものには限定されず、キャリッジの構成としてはそれ以外にも、光源ランプと結像ユニットを搭載したものなどでも可能である。
【図面の簡単な説明】
【００３１】
【図１】本発明の一実施形態に係る画像読取装置を備えた画像形成装置の全体構成を示す斜視図である。
【図２】画像読取装置と自動給紙装置の構成を示す側断面図である。
【図３】画像読取装置の構成を示す概略平面図である。
【図４】画像読取装置の外装部品を示す分解斜視図である。
【符号の説明】
【００３２】
１          画像形成装置
１０        画像読取装置
１１，１１  ガイドレール
１２        フルレートキャリッジ
１５        ハーフレートキャリッジ
１８        結像ユニット
１９        インバータ装置
２０        自動給紙装置
３０        カバーシャーシ
３１        シャーシ部
３２        側壁部
３３        キャリッジ収納部
３４        モータ取付部
３５        操作パネル設置部
４０        上部カバー
４１        プラテンガラス
５０        ベルト駆動機構
６０        駆動モータ
６１        支持部材
７０        フレーム部材
７１        支持部
７２        フランジ部
８０        取付固定部
８０ａ      ネジ穴
８０ｂ      ネジ挿通穴
Ａ          原稿セット基準位置
【図１】
2007306054.tif 000003
【図２】
2007306054.tif 000004
【図３】
2007306054.tif 000005
【図４】
2007306054.tif 000006